(57)【特許請求の範囲】
【請求項１】
窓の閉鎖時障子の自由端縁に対向する窓枠の内面及び障子の自由端縁の一方に装着される箱状の機枠と、他方に装着される受け部材とを有し、細長い板状のガードアームの基端の裏面側に植設した支軸を、上記機枠の底板に開口した支軸孔に遊嵌した状態で機枠内に挿入して回動かつ傾動可能に枢着することにより、ガードアームを回転自在にかつガードアームの自由端が障子の見付け方向に移動できるように設け、上記ガードアームの自由端の表面側には、周囲に鍔部を残して、受け部材側に突出する係合ピンを植設し、一方、上記受け部材には、係合ピンの出入りを許容する抜き孔と、上下方向に延在し、係合ピンと摺動可能に係合する長孔とを連設した案内孔を形成すると共に、受け部材に重合するようにして、かつ受け部材との間にガードアームの自由端の鍔部を受入れることができる間隙を保って、ガードアームと干渉しない側の長孔の開口端縁部を覆うひさし部材を一体に結合し、他方、外端にガードアームを装着した上記支軸の機枠内における内端に係止カムを一体に結合し、この係止カムと機枠の底板との間における支軸に嵌装された圧縮コイルばねの弾力により、ガードアームを機枠の底板外面に接合する方向に付勢し、更に、機枠の底板外面には、上下方向に移動可能に案内され、ガードアームの基端部と機枠外面との間に入り込む傾斜面を備えたスライダカムを設け、また、中央部を機枠の底板に回動自在に支承され、機枠の底板に平行な平面内で回動可能に案内された切替えレバーを設け、この切替レバーの内端の作動部を機枠の側面を挿通させて機枠内に係入させ
ると共に、この作動部の内端に植設された駆動ピンを機枠の底板の開口に挿通させてスライダカムに連係させ、一方、この切替レバーを一方に回動させることによりガードアーム装置を作動状態に、また、他方に回動させることによりガードアーム装置を不作動状態に置くこととし、切替レバーをガードアーム装置作動側に回動させたときには、スライダカムの傾斜面をガードアームの基端部と機枠の底板外面との間から抜き、ガードアームの自由端を受部材と係合可能にすると共に、切替えレバーの作動部が上記係止カムの移動軌跡に干渉しないようにし、また、この切替えレバーをガードアーム装置不作動側に回動させ、スライダカムの傾斜面をガードアームの基端部と機枠の底板外面との間に入り込ませることによりガードアームの自由端を受け部材から離間させたとき、切替えレバーの作動部が上記係止カムの移動軌跡に干渉するようにしたことを特徴とする窓のガードアーム機構。
【発明の詳細な説明】
【０００１】
【発明の属する技術分野】
この発明は、蝶番に支持された通常の窓、縦滑り出し窓或いはドレーキップ窓等の窓のガードアーム機構（以下単にガードアーム機構という）に係り、特に、不作動時ガードアームを固定することができ、しかもコンパクトである新規なガードアーム装置に関する。
【０００２】
【従来の技術】
ガードアーム装置は、通常、扉口における扉と扉枠との間をガードアームと称される部材で連結するもので、このガードアームが従来のドアチェーンのように扉の開度を一定以上開かないように規制し、家人が安全に郵便物の受け取り、又は来客の確認をする。
【０００３】
このガードアーム装置には幾つかの形式があるが、例えば実公平３−３９５８５号公報に記載されているガードアーム装置のように、作動時扉の自由側端縁部に設けられた錠ケースから錠杆を１段突出させ、その先端の括れ部を、上端を扉枠に回動自在に支承された規制部材の下端に開口した係合孔に係合させる。
【０００４】
しかしながら、通常窓には錠ケースが備えられていないので、この形式のガードアーム装置を窓に適用することはできない。
【０００５】
一方、例えば実公平７−１１２７０号公報に記載されたガードアーム装置は、一端を揺動かつ回動可能に支承されたガードアームの他端に鈎状の係止部を突設し、ガードアーム装置作動時、ガードアームの他端を長穴を開口させたストライクに向けて振出し、係止部を長穴に係合させるように作動する。
【０００６】
この形式のガードアーム装置は、作動時ガードアームを駆動する部材が錠ケースの錠杆でなくてもよいので、窓のガードアーム装置として採用することができる。
【０００７】
【発明が解決しようとする課題】
しかしながら、この形式のガードアーム装置は、作動時ガードアームの他端の鈎部を長穴を通してストライクの裏側にまで突き抜けさせなくてはならないのでガードアームの他端のストロークが大きくなり、窓の窓枠と障子の間の狭い空間にガードアーム装置を組込むことが困難である。
【０００８】
また、不作動時ガードアームが露出するので、ガードアームのた端を引出して悪戯されるおそれがある、等種々の不都合がある。
【０００９】
そこで、この発明は、上記した不都合を解消し、ガードアームの他端のストロークを短くしても確実に作動し、不作動時にはガードアームを固定することができるガードアーム装置を提供することを目的としている。
【００１０】
【課題を解決するための手段】
上記の目的を達成するため、この発明は、窓の閉鎖時障子の自由端縁に対向する窓枠の内面及び障子の自由端縁の一方に装着される箱状の機枠と、他方に装着される受け部材とを有し、細長い板状のガードアームの基端の裏面側に植設した支軸を、上記機枠の底板に開口した支軸孔に遊嵌した状態で機枠内に挿入して回動かつ傾動可能に枢着することにより、ガードアームを回転自在にかつガードアームの自由端が障子の見付け方向に移動できるように設け、上記ガードアームの自由端の表面側には、周囲に鍔部を残して、受け部材側に突出する係合ピンを植設し、一方、上記受け部材には、係合ピンの出入りを許容する抜き孔と、上下方向に延在し、係合ピンと摺動可能に係合する長孔とを連設した案内孔を形成すると共に、受け部材に重合するようにして、かつ受け部材との間にガードアームの自由端の鍔部を受入れることができる間隙を保って、ガードアームと干渉しない側の長孔の開口端縁部を覆うひさし部材を一体に結合し、他方、外端にガードアームを装着した上記支軸の機枠内における内端に係止カムを一体に結合し、この係止カムと機枠の底板との間における支軸に嵌装された圧縮コイルばねの弾力により、ガードアームを機枠の底板外面に接合する方向に付勢し、更に、機枠の底板外面には、上下方向に移動可能に案内され、ガードアームの基端部と機枠外面との間に入り込む傾斜面を備えたスライダカムを設け、また、中央部を機枠の底板に回動自在に支承され、機枠の底板に平行な平面内で回動可能に案内された切替えレバーを設け、この切替レバーの内端の作動部を機枠の側面を挿通させて機枠内に係入させると共に、この作動部の内端に植設された駆動ピンを機枠の底板の開口に挿通させてスライダカムに連係させ、一方、この切替レバーを一方に回動させることによりガードアーム装置を作動状態に、また、他方に回動させることによりガードアーム装置を不作動状態に置くこととし、切替レバーをガードアーム装置作動側に回動させたときには、スライダカムの傾斜面をガードアームの基端部と機枠の底板外面との間から抜き、ガードアームの自由端を受部材と係合可能にすると共に、切替えレバーの作動部が上記係止カムの移動軌跡に干渉しないようにし、また、この切替えレバーをガードアーム装置不作動側に回動させ、スライダカムの傾斜面をガードアームの基端部と機枠の底板外面との間に入り込ませることによりガードアームの自由端を受け部材から離間させたとき、切替えレバーの作動部が上記係止カムの移動軌跡に干渉するようにしたことを特徴とする。
【００１１】
【実施例】
以下、この発明の実施例を図面を参照して説明する。
図１において符号１は縦滑り出し窓の障子を、符号２は窓枠を夫々示し、障子の開放時障子１の自由端縁部は矢印Ａ方向に移動するものとする。
【００１２】
窓の閉鎖時障子１の自由側端縁に対向する窓枠２の内面には、機枠３を介して、細長い板板状のガードアーム４（図２乃至図４参照）が枢着されている。
【００１３】
図示の実施例における機枠３は、図２及び図３に示すように、背面（図３で左側）が開き、側面（図２で左側）が切り欠かれた縦長で浅い箱状体で、その上下の開口端縁に一体に形成された付番しない取付片をねじ止めされることにより、背面の開口を窓枠２の内面に接合するようにして固着されている。
【００１４】
一方、図３に示すように、ガードアーム４の基端（上端）の裏面、すなわち窓枠２の内面側には、例えばかしめにより、該内面に直交する方向の支軸５が固着されており、この支軸５は、後述するスライダカム６の逃げ穴７（図２及び図３参照）を挿通し、更に機枠３の底面（図３で右側の面）に開口した付番しない支軸孔を遊嵌して機枠３の内部空間に係入している。
【００１５】
また、支軸５の内端（図３で左端）には、扇形の係止カム８（図４参照）がこれもかしめにより固着されている。
【００１６】
更にまた、上記係止カム８と機枠３の底面との間における支軸５には圧縮コイルばねとしてのアームばね９（図３参照）が巻装されている。
【００１７】
上記した構成により、ガードアーム４は支軸５の回りを回動可能に支承されると共に、支軸５が機枠の底面の支軸孔と遊嵌しているので、ガードアームの自由端（図３で下端）が障子１の見付け方向（図３で左右方向）に移動できることになる。
【００１８】
一方、ガードアーム４の自由端の障子１に対向する面には、図２及び図３に示すように、周囲に鍔部１１を残して係合ピン１２が植設されている。
【００１９】
この係合ピン１２に対応して、図１に示すように、障子１の自由端縁には縦長の板状の受け部材１３が上下端部をねじ止めすることにより固定されている。
【００２０】
この受け部材１３は、図５に示すように、下端部に係合ピン１２の出入りを許容する抜き孔１４と、上下方向に延在し、係合ピン１２の摺動可能に係合する長孔１５とを連設した案内孔１６が開口している。
【００２１】
図示の実施例では上記長孔１５は鉛直方向に対し少し傾いているが、この傾きは本発明の必須の構成ではない。
【００２２】
また、図１、図５及び図６に示すように、受け部材１３の案内孔１６を開口させた中央部を少し障子の自由端縁から浮せ、係合ピン１２と障子１との接触を阻止するため、受け部材１３の両端部に段部が形成されている。
【００２３】
更にまた、図示の実施例では、受け部材１３の一方の側端縁を側方に延長し、これを受け部材１３の中央部に折り返す態様で、ひさし部材１７が受け部材１３に一体に結合されている。
【００２４】
このひさし部材１７は、受け部材１３との間にガードアームの鍔部１１を受入れることができる間隙を保って、ガードアーム４と干渉しない側の長孔の開口端縁部（図１で外部空間側の開口端縁部）を覆っている。
【００２５】
他方、図２及び図３に示すように、機枠３の表面、すなわち機枠３の底面の外面には前記スライダカム６が上下方向に移動可能に支持、案内されている。
【００２６】
このスライダカム６は、図３から明らかなように、中央部を断面低い山形に折曲成形された板状の部材で、ガードアーム４の前記支軸５と縦長の逃げ穴７との係合、及び機枠３の表面にかしめ付けられたフランジ付のガイドピン１８とスライダカム６の上部に開口した縦長のガイド孔１９との係合により、上下方向に移動可能に支承されている。
【００２７】
そして、このスライダカム６の付番しない下方の傾斜面がガードアーム４の基端部と機枠の外面との間に選択的に入り込み、ガードアーム４の自由端を障子の見付け方向に移動させる。
【００２８】
このスライダカム６を上下方向に切替駆動するため、図１乃至図４に示すように、機枠３に切替レバー２１が揺動可能に設けられている。
【００２９】
この切替レバー２１は、図４に示すように、機枠３の内側の内端に形成された扇形の作動部２２とレバーカバー２３に被覆された駆動部２４とを備え、作動部２２の基端部をレバー軸２５（図３参照）に揺動可能に支承されている。
【００３０】
また、図４に示すように、切替レバーの作動部２２には障子側に突出する駆動ピン２６が一体に植設されており、この駆動ピン２６の先端は、機枠３の底面に形成された図示しない円弧状の開口を貫通して、図２に示すように、スライダカム６に開口した横長の係合孔２７に摺動可能に係合している。
【００３１】
なお、ガードアーム４が図４に示す待機位置にあるとき、これと一体の係止カム８の上端縁はレバー軸２５を中心とする円弧状に成形され、切替えレバーを不作動側に切替えたとき（図７参照）、作動部２２が係止カム８と干渉しないようにしてある。
【００３２】
一方、ガードアーム装置が図７に示すように不作動状態にあるとき、ガードアーム４と一体の係止カム８は機枠３の側板内面と作動部２２とに拘束されるので、ガードアーム４は機枠に固定されることになる。
【００３３】
他方、機枠３の内側上方には、直方体の隅部を所定の形状に切り欠いた（図４参照）スペーサー２８が機枠３の内側に形状係合をなしつつ嵌装されており、前記レバー軸２５により固定されている（図３参照）。
【００３４】
図示の実施例におけるスペーサー２８の材質は弾性合成樹脂であり、図４に示すように、上記切替レバーの駆動ピン２６と係合する円弧状のピン溝２９と、このピン溝２９に隣接する裾を引いた山形のばね溝３１とが開口している。
【００３５】
そして、これらピン溝２９とばね溝３１との間に残された円弧状の実体部の中央部が駆動ピン２６の移動軌跡と干渉するので、この円弧状の実体部切替えレバーの回動時にクリック感を呈するはクリックばね３２となる。
【００３６】
なお、図１、図２及び図４において、符号３３は窓枠２に装着された切替レバー座を示し、この切替レバー座３３は機枠３内の機構を覆い、見栄えを良くするための一種の装飾部材である。
【００３７】
上記のように構成されたこの発明によるガードアーム機構を備えたガードアーム装置は、図２に鎖線で示すように切替レバーの駆動部２４が上昇しているときには、作動部の駆動ピン２６は図４において反時計方向に回動した位置に在り、スライダカム６は図３で鎖線で示した位置に下降している。
【００３８】
このときには、スライダカム６の断面山形部がガードアーム４の基端を裏面側から押上げるから、ガードアーム４の自由端はアームばね９の弾力に抗して図３で時計方向に回動する。
【００３９】
そして、図１に示すように係合ピン１２が障子側の受け部材１３から離間した待機位置をとり、このガードアーム装置は不作動状態にある。
【００４０】
このときには、図７に示すように、係止カム８が切替えレバーの作動部２２と機枠の側板内面によって拘束されるから、ガードアーム４は機枠３に固定され、引出されて悪戯されることを防止できる。
【００４１】
このガードアーム装置を作動させるには、図２乃至図４に示すように、切替レバーの駆動部２４を押し下げ、スライダカム６を図３で実線で示す下降位置に置く。
【００４２】
すると、ガードアーム４に外力が作用しなくなるから、アームばね９の弾力によりガードアーム４の基端はスライダカム６の平面部を挟んで機枠３の表面に接合する方向に付勢される結果、ガードアーム４の自由端の係合ピン１２が図３で右方に移動し、受け部材１３の抜き孔１４に係入するに致る。
【００４３】
この状態で障子１を開けると、換言すれば図１において障子１の自由端を上昇させると、受け部材１３が図５において右方に移動し、ガードアームの係合ピン１２が長孔に係入すると共にガードアームの鍔部１１が受け部材１３とひさし部材１７との間の間隙に入り込む。
【００４４】
更に障子を開けると、ガードアームの係合ピン１２が長孔１５中を摺り上がりつつガードアーム４の自由端を引っ張るので、障子１はガードアーム４を介して窓枠２に連結された状態で開いていき、係合ピン１２が案内孔１６の上端に致って障子の開度が規制される。
【００４５】
上記したガードアーム機構の作動中は、係合ピン１２を案内孔１６から抜き外そうとする動きは鍔部１１とひさし部材１７との係合によって阻止され、一方、鍔部１１をひさし部材１７と受け部材１３との間の間隙から抜き外そうとする動きは係合ピン１２と案内孔１６との係合によって阻止される。
【００４６】
障子１を閉めると、係合ピン１２は抜き孔１４に戻り、このとき切替レバーを上昇させるとガードアーム４の自由端が障子から離間する方向に移動してガードアーム装置が待機状態に戻る。
【００４７】
図８及び図９はこの発明の変形実施例を示し、この実施例は、スライダカム６のガードアーム駆動用の傾斜面を、板材を山形に折り曲げるのではなく、例えば合成樹脂製の厚板の下方に傾斜面６ａ（図８参照）と薄板部６ｂ（図９参照）とを連設したもので、その機能については、図８及び図９から明らかであるから、更に詳細な説明は省略する。
【００４８】
【発明の効果】
以上の説明から明らかなように、この発明は、ガードアームの自由端に植設したフランジや鈎の無い通常の短円柱体の係合ピンを受け部材の案内孔に係合させ、係合ピンを案内孔から抜き外そうとする動きをひさし部材で阻止するようにしたので、ガードアーム装置を作動させるときのガードアームの自由端の動きを従来のものより小さくすることができ、限られた窓枠と障子との間のスペースにガードアーム装置を組込むことを可能にすると共に、ガードアーム装置の構造を簡単にすることができる。
【００４９】
また、ガードアーム装置の不作動時切替えレバーの作動部によりガードアームと一体の係止カムを拘束し、ガードアームが機枠に固定されるので、ガードアームを引出されて悪戯されることを防止できる、等種々の効果を奏する。
【図面の簡単な説明】
【図１】この発明の一実施例によるガードアーム装置の平面図。
【図２】その正面図。
【図３】その縦断面図。
【図４】その背面図でガードアーム装置が作動状態にある場合を示す。
【図５】受け部材の背面図。
【図６】受け部材を外部空間側から見た側面図。
【図７】ガードアーム装置の背面図で、ガードアーム装置が不作動状態にある場合を示す。
【図８】この発明の変形実施例によるガードアーム装置の縦断面図で、ガードアーム装置が作動状態にある場合を示す。
【図９】この発明の変形実施例によるガードアーム装置の縦断面図で、ガードアーム装置が不作動状態にある場合を示す。
【符号の説明】
１  障子
２  窓枠
３  機枠
４  ガードアーム
５  支軸
６  スライダカム
６ａ  傾斜面
７  逃げ穴
８  係止カム
９  アームばね
１１  鍔部
１２  係合ピン
１３  受け部材
１４  抜き孔
１５  長孔
１６  案内孔
１７  ひさし部材
２１  切替えレバー
２２  作動部
２５  駆動軸
【図１】
0004181714.tif 000002
【図２】
0004181714.tif 000003
【図３】
0004181714.tif 000004
【図４】
0004181714.tif 000005
【図５】
0004181714.tif 000006
【図６】
0004181714.tif 000007
【図７】
0004181714.tif 000008
【図８】
0004181714.tif 000009
【図９】
0004181714.tif 000010